(57)【要約】【課題】浴槽水の排熱回収および浴槽配管の凍結予防を効率的に実施することができる貯湯式給湯機を提供する。【解決手段】貯湯式給湯機は、浴槽の内部の浴槽水を取り出して戻す循環回路にて凍結予防運転を開始する前に、浴槽の内部の浴槽水と貯湯タンクの貯留水を熱交換して浴槽水から貯留水に熱を回収する排熱回収運転を開始することを催促する情報をリモコンに報知させる制御部、を備えた。当該構成を備えることにより、浴槽水の排熱回収および浴槽配管の凍結予防を効率的に実施することができる。【選択図】図５
2020076512.tif 000002
【特許請求の範囲】
【請求項１】
浴槽の内部の浴槽水を取り出して戻す循環回路にて凍結予防運転を開始する前に、浴槽の内部の浴槽水と貯湯タンクの貯留水を熱交換して浴槽水から貯留水に熱を回収する排熱回収運転を開始することを催促する情報をリモコンに報知させる制御部、
を備えた貯湯式給湯機。
【請求項２】
前記制御部は、前記リモコンにおいて予め設定された操作がなされた際に前記排熱回収運転を開始する請求項１に記載の貯湯式給湯機。
【請求項３】
前記制御部は、前記凍結予防運転を開始する前に前記排熱回収運転を開始することを催促する情報を前記リモコンに報知させるか否かを選択し得るように設けられた請求項１または請求項２に記載の貯湯式給湯機。
【請求項４】
前記制御部は、前記凍結予防運転を開始する前に前記排熱回収運転を開始することを催促する情報を前記リモコンに報知させる条件を外気温度が予め設定された温度未満であるとする請求項１から請求項３のいずれか一項に記載の貯湯式給湯機。
【請求項５】
前記制御部は、前記凍結予防運転を開始する前に前記排熱回収運転を開始することを催促する情報を前記リモコンに報知させる条件をふろ自動運転の終了時とする請求項１から請求項４のいずれか一項に記載の貯湯式給湯機。
【請求項６】
前記浴槽の内部の浴槽水の水位を検出する水位検出部、
を備え、
前記制御部は、前記水位検出部が浴槽への湯はり完了後の水位から予め設定された値以上の水位の低下を検出した場合に、前記排熱回収運転および前記凍結予防運転を開始する請求項１から請求項５のいずれか一項に記載の貯湯式給湯機。
【請求項７】
前記排熱回収運転で熱交換する貯湯タンクの貯留水の温度を検出する貯留水温度検出部と、
浴槽水の温度を検出する浴槽水温度検出部と、
を備え、
前記制御部は、前記浴槽水温度検出部により検出された温度と前記貯留水温度検出部により検出された温度との温度差が予め設定された温度差である場合は、前記排熱回収運転を実施せずに前記凍結予防運転を実施する請求項１から請求項６のいずれか一項に記載の貯湯式給湯機。
【請求項８】
浴槽水の循環回路への循環の有無を検出する循環検出部、
を備え、
前記制御部は、前記循環検出部により浴槽水の循環回路への循環を検出されない場合は、前記排熱回収運転および前記凍結予防運転を中止する請求項１から請求項７のいずれか一項に記載の貯湯式給湯機。
【請求項９】
前記制御部は、前記排熱回収運転または前記凍結予防運転の動作中であることを前記リモコンに報知させる請求項１から請求項８のいずれか一項に記載の貯湯式給湯機。
【請求項１０】
前記制御部は、外気温度が前記凍結予防運転の開始条件となる温度よりも高い温度として予め設定された温度が到達したときに前記排熱回収運転の実施を催促する情報を前記リモコンに報知させる請求項１から請求項９のいずれか一項に記載の貯湯式給湯機。
【請求項１１】
前記制御部は、外気温度が凍結予防運転の開始条件となる温度に到達したとき、前記排熱回収運転を開始することを催促する情報を前記リモコンに報知させても、前記排熱回収運転の動作指示が予め設定された時間内に行われない場合は、通常の凍結予防運転よりも低能力の凍結予防運転を実施する請求項１から請求項１０のいずれか一項に記載の貯湯式給湯機。
【請求項１２】
前記制御部は、外気温度が凍結予防運転の開始条件となる温度よりも低い温度として予め設定された温度に到達したときに、前記排熱回収運転の動作指示が行われたか否かにかかわらずに前記凍結予防運転を実施する請求項１から請求項１１のいずれか一項に記載の貯湯式給湯機。
【請求項１３】
前記制御部は、前記排熱回収運転を開始することを催促する情報を前記リモコンに報知させても、前記排熱回収運転の動作指示が予め設定された時間行われない場合は、前記リモコンからの報知の度合いを高める請求項１から請求項１２のいずれか一項に記載の貯湯式給湯機。
【請求項１４】
前記制御部は、前記排熱回収運転を開始することを催促する情報を前記リモコンに報知させても、前記排熱回収運転の動作指示が予め設定された時間内に行われない場合は、前記凍結予防運転を実施する請求項１から請求項１３のいずれか一項に記載の貯湯式給湯機。
【発明の詳細な説明】
【技術分野】
【０００１】
この発明は、貯湯式給湯機に関する。
【背景技術】
【０００２】
特許文献１は、貯湯式給湯機を開示する。当該貯湯式給湯機は、浴槽水の排熱回収および浴槽配管の凍結予防を実施する。
【先行技術文献】
【特許文献】
【０００３】
【特許文献１】特開２０１３−２４５９１９号公報
【発明の概要】
【発明が解決しようとする課題】
【０００４】
しかしながら、特許文献１に記載の貯湯式給湯機は、浴槽水の排熱を回収および浴槽配管の凍結予防を同時に行う。このため、浴槽水の排熱回収および浴槽配管の凍結予防が効率的に実施されないこともある。
【０００５】
この発明は、上述の課題を解決するためになされた。この発明の目的は、浴槽水の排熱回収および浴槽配管の凍結予防を効率的に実施することができる貯湯式給湯機を提供することである。
【課題を解決するための手段】
【０００６】
この発明に係る貯湯式給湯機は、浴槽の内部の浴槽水を取り出して戻す循環回路にて凍結予防運転を開始する前に、浴槽の内部の浴槽水と貯湯タンクの貯留水を熱交換して浴槽水から貯留水に熱を回収する排熱回収運転を開始することを催促する情報をリモコンに報知させる制御部、を備えた。
【発明の効果】
【０００７】
この発明によれば、浴槽水の排熱回収および浴槽配管の凍結予防を効率的に実施することができる。
【図面の簡単な説明】
【０００８】
【図１】実施の形態１における貯湯式給湯機の構成図である。
【図２】実施の形態１における貯湯式給湯機のリモコンの正面図である。
【図３】実施の形態１における貯湯式給湯機の待機状態での回路構成図である。
【図４】実施の形態１における貯湯式給湯機の沸き上げ運転時の回路構成図である。
【図５】実施の形態１における貯湯式給湯機の浴槽水追焚き運転時の回路構成図である。
【図６】実施の形態１における貯湯式給湯機の浴槽水排熱回収運転時および浴槽配管凍結予防運転時の回路構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。実施の形態によって本発明は、限定されない。
【００１０】
実施の形態１．
図１は実施の形態１における貯湯式給湯機の構成図である。貯湯式給湯機１００は、貯湯タンクユニット１を備える。貯湯式給湯機１００は、ヒートポンプユニット６０を備える。ヒートポンプユニット６０は、ヒートポンプサイクルを利用するように構成される。貯湯タンクユニット１とヒートポンプユニット６０とは、ヒートポンプ入口配管４１とヒートポンプ出口配管４２とにより接続される。
【００１１】
制御部７０は、貯湯タンクユニット１に内蔵される。制御部７０は、貯湯タンクユニット１およびヒートポンプユニット６０が備える各種の弁類、ポンプ類等と電気的に接続される。制御部７０は、これらの弁類、ポンプ類等の動作を制御する。例えば、リモコン８０は、浴室の出入口の周辺に設けられる。リモコン８０は、制御部７０と相互通信し得るように設けられる。
【００１２】
ヒートポンプユニット６０は、貯湯タンクユニット１から導かれた低温水を加熱して沸き上げるための加熱手段として機能する。ヒートポンプユニット６０は、圧縮機６１と沸き上げ用熱交換器６２と膨張弁６３と空気熱交換器６４とを備える。圧縮機６１と沸き上げ用熱交換器６２と膨張弁６３と空気熱交換器６４とは、冷媒循環配管６５により環状に接続されることで冷凍サイクル（ヒートポンプサイクル）を構成する。
【００１３】
沸き上げ用熱交換器６２は、冷媒循環配管６５を流れる冷媒と貯湯タンクユニット１から導かれた低温水との間で熱交換を行う。ヒートポンプユニット６０で高温水を得るためには、ヒートポンプサイクルは、冷媒として二酸化炭素を用い、臨界圧を越える圧力で運転することが好ましい。
【００１４】
ＨＰ出口側サーミスタ６６は、ヒートポンプ出口配管４２に設けられる。ＨＰ出口側サーミスタ６６は、沸き上げ用熱交換器６２で加熱された高温水の温度を検出するための温度センサである。
【００１５】
貯湯タンクユニット１は、以下の各種部品や配管などを内蔵する。貯湯タンク１０は、湯水を貯留する。給水配管２は、貯湯タンク１０の下部に接続される。給水配管２は、市水の供給を受ける。給湯配管３は、タンク上部配管４３から分岐されて貯湯タンク１０の上部に接続される。
【００１６】
貯湯タンク１０の上部は、ヒートポンプユニット６０を用いて加熱された高温水の流入を受け付ける。貯湯タンク１０の下部は、タンク下部配管４０を介して低温水を流出させる。その結果、湯水は、貯湯タンク１０の上部と下部で温度差が生じるように貯留される。
【００１７】
残湯サーミスタ１１、１２、１３は、貯湯タンク１０の表面において高さを変えて取り付けられる。残湯サーミスタ１１、１２、１３は、貯湯タンク１０の内部の湯水の温度分布を検出する。
【００１８】
制御部７０は、残湯サーミスタ１１、１２、１３により取得された温度分布に基づいて、貯湯タンク１０の内部の残湯量を把握する。制御部７０は、ヒートポンプユニット６０による貯湯タンク１０の内部における湯水の沸き上げ運転の開始および停止などを制御する。
【００１９】
貯湯タンクユニット１は、循環ポンプ２１および利用側熱交換器２２を内蔵する。循環ポンプ２１は、貯湯タンクユニット１の内部の後述する各種配管に湯水を循環させる。利用側熱交換器２２は、貯湯タンク１０またはヒートポンプユニット６０から供給される高温水を利用して、２次側の加熱対象水を加熱する。
【００２０】
利用側熱交換器２２の２次側の構成として、浴槽５０の内部の浴槽水を循環させる浴槽水循環回路５１を例に挙げて説明する。利用側熱交換器２２は、浴槽水循環回路５１の途中に設けられる。
【００２１】
浴槽水循環ポンプ５２と浴槽入口サーミスタ５３と水位センサ９１と水流検出センサ９２は、浴槽水循環回路５１の途中に設けられる。浴槽水循環ポンプ５２は、浴槽水を循環させる。浴槽入口サーミスタ５３は、浴槽５０から出た浴槽水の温度を検出する。水位センサ９１は、浴槽５０の内部の浴槽水の水位を検出する。水流検出センサ９２は、浴槽水循環回路５１の水流を検出する。
【００２２】
次に、貯湯タンクユニット１が備える弁類および配管類について説明する。貯湯タンクユニット１は、３方弁３１と４方弁３２とを備える。
【００２３】
３方弁３１は、湯水が流入する２つの入口（ａポート、ｂポート）と湯水が流出する１つの出口（ｃポート）とを有する流路切替手段である。３方弁３１は、ａポートまたはｂポートのどちらかから湯水が流入し、ｃポートから流出するように湯水の経路を切り替え得るように設けられる。つまり、３方弁３１は、２つの経路、すなわち、ａポートとｃポートとをつなぐ経路、ｂポートとｃポートとをつなぐ経路の間で流路形態を切り替え得るように設けられる。
【００２４】
４方弁３２は、湯水が流入する１つの入口（ａポート）と、湯水が流出する３つの出口（ｂポート、ｃポート、ｄポート）とを有する流路切替手段である。４方弁３２は、３つの経路、すなわち、ａポートとｂポートとをつなぐ経路、ａポートとｃポートとをつなぐ経路、ａポートとｄポートとをつなぐ経路の間で流路形態を切り替え得るように設けられる。
【００２５】
貯湯タンクユニット１において、貯湯タンク１０の下部は、タンク下部配管４０、３方弁３１、ヒートポンプ入口配管４１、沸き上げ用熱交換器６２、ヒートポンプ出口配管４２、４方弁３２、タンク上部配管４３を経由して貯湯タンク１０の上部に接続される。
【００２６】
タンク下部配管４０は、貯湯タンク１０の第１下部と３方弁３１のａポートとを接続する流路である。ヒートポンプ入口配管４１は、３方弁３１のｃポートとヒートポンプユニット６０の入口側とを接続する流路である。ヒートポンプ出口配管４２は、ヒートポンプユニット６０の出口側と４方弁３２のａポートとを接続する流路である。
【００２７】
タンク上部配管４３は、４方弁３２のｂポートと貯湯タンク１０上部とを接続する配管である。中温水戻し配管４４は、４方弁３２のｃポートと貯湯タンク１０の中間部に設けられた戻し口とを接続する配管である。利用側熱交換器１次側入口配管４５は、貯湯タンク１０の上部と利用側熱交換器２２の上流側とを接続する配管である。逆止弁８１は、利用側熱交換器１次側入口配管４５の途中に接続される。逆止弁８１は、水の逆流を防止するように設けられる。
【００２８】
利用側熱交換器１次側出口配管４６は、利用側熱交換器２２の後流側と３方弁３１のｂポートとを接続する配管である。ふろ熱回収戻し配管４７は、利用側熱交換器１次側出口配管４６の途中から分岐して、貯湯タンク１０の中間部に接続される配管である。逆止弁８２は、ふろ熱回収戻し配管４７に設けられる。逆止弁８２は、水が貯湯タンク１０に戻る方向とは逆方向へ流れないように設けられる。
【００２９】
追い焚き分岐配管４８は、利用側熱交換器１次側入口配管４５の逆止弁８１の後流側から分岐して４方弁３２のｄポートと接続される配管である。
【００３０】
貯湯タンクユニット１は、給水配管２と給湯配管３とを備える。使用者が蛇口またはシャワーを使用したり浴槽５０への湯はりを行ったりする際に、水は、給水配管２から貯湯タンク１０に供給される。お湯は、給湯配管３を介して蛇口、シャワー等から出る。
【００３１】
図２は実施の形態１における貯湯式給湯機のリモコンの正面図である。リモコン８０は、操作部８０ａ、マイク８０ｂ、表示部８０ｃ、スピーカ８０ｄ等を備える。操作部８０ａは、スイッチ等である。操作部８０ａは、使用者の操作を受け付ける。マイク８０ｂは、使用者の音声の入力を受け付ける。表示部８０ｃは、貯湯式給湯機１００の状態等の情報を表示する。スピーカ８０ｄは、貯湯式給湯機１００の状態等の情報を音声で出力する。使用者は、リモコン８０の表示部８０ｃの表示またはスピーカ８０ｄの音声出力により、貯湯式給湯機１００の動作状態を確認する。
【００３２】
貯湯式給湯機１００においては、制御部７０は、以下の図３から図６に示す運転状態に応じて３方弁３１を制御して、次の第１流路形態および第２流路形態の間で、貯湯タンクユニット１の内部の湯水の流路を切り替える。
【００３３】
第１流路形態は、貯湯タンク１０の第１下部と沸き上げ用熱交換器６２とがタンク下部配管４０およびヒートポンプ入口配管４１を介して連通する流路形態である。第２流路形態は、利用側熱交換器１次側入口配管４５、ヒートポンプ入口配管４１を介して連通する流路形態である。
【００３４】
貯湯式給湯機１００においては、制御部７０は、以下の図３から図６に示す運転状態に応じて４方弁３２を制御して、次の第１流路形態、第２流路形態、第３流路形態の間で、貯湯タンクユニット１における湯水の流路を切り替えて運転する。
【００３５】
第１流路形態は、沸き上げ用熱交換器６２と貯湯タンク１０の上部とがヒートポンプ出口配管４２およびタンク上部配管４３を介して連通する流路形態である。第２流路形態は、ヒートポンプ出口配管４２と追い焚き分岐配管４８をと連通する流路形態である。第３流路形態は、ヒートポンプ出口配管４２と中温水戻し配管４４とを連通する流路形態である。
【００３６】
図３は実施の形態１における貯湯式給湯機の待機状態での回路構成図である。待機状態は、沸き上げ運転、浴槽水追焚き運転などのいずれの運転も行っていない状態である。待機状態は、循環ポンプ２１、ヒートポンプユニット６０および浴槽水循環ポンプ５２のいずれも停止した状態である。
【００３７】
待機状態において、３方弁３１は、ａポートとｃポートとが連通し、ｂポートが閉状態となるように制御される。これにより、タンク下部配管４０とヒートポンプ入口配管４１とが連通するとともに、利用側熱交換器１次側出口配管４６の側を閉として利用側熱交換器２２の側の流路が遮断される。
【００３８】
待機状態において、４方弁３２は、ａポートとｄポートとが連通し、ｃポートとｂポートとが閉状態となるように制御される。これにより、ヒートポンプ出口配管４２と追い焚き分岐配管４８とが連通するとともに、タンク上部配管４３の側の流路および中温水戻し配管４４が閉状態となる。
【００３９】
図４は実施の形態１における貯湯式給湯機の沸き上げ運転時の回路構成図である。沸き上げ運転は、ヒートポンプユニット６０を利用して貯湯タンク１０の内部の水をヒートポンプサイクルで圧縮した高温冷媒を沸き上げ用熱交換器６２で水と熱交換して沸き上げる運転である。
【００４０】
沸き上げ運転時において、３方弁３１は、ａポートとｃポートとが連通し、ｂポートが閉状態となるように制御される。
【００４１】
沸き上げ運転時において、４方弁３２は、ａポートとｂポートとが連通し、ｃポートとｄポートとが閉状態となるように制御される。
【００４２】
沸き上げ運転は、上記のように３方弁３１および４方弁３２が制御された状態で、循環ポンプ２１とヒートポンプユニット６０の運転を開始することにより実行される。その結果、例えば、貯湯タンク１０の第１下部から流出する１０℃の低温水は、タンク下部配管４０、３方弁３１、循環ポンプ２１およびヒートポンプ入口配管４１を経由してヒートポンプユニット６０に導かれる。当該低温水は、沸き上げ用熱交換器６２において加熱された後、９０℃の高温水となってヒートポンプ出口配管４２、４方弁３２およびタンク上部配管４３を経由して、貯湯タンク１０の上部から当該貯湯タンク１０の内部に流入する。当該高温水は、貯湯タンク１０に貯えられる。このように、沸き上げ運転が実行されると、高温水は、貯湯タンク１０の内部において上部からが貯えられていく。当該高温水の層は、徐々に厚くなる。
【００４３】
図５は実施の形態１における貯湯式給湯機の浴槽水追焚き運転時の回路構成図である。浴槽水追焚き運転は、貯湯タンク１０の内部の高温水を利用して浴槽水を加熱する運転である。
【００４４】
浴槽水追焚き運転時において、３方弁３１は、図３に示される待機状態から、ｂポートとｃポートが連通し、aポートが閉状態となるように制御される。その結果、利用側熱交換器１次側出口配管４６とヒートポンプ入口配管４１とが連通するとともに、タンク下部配管４０の側が閉状態となって、貯湯タンク１０の下部からの流路が遮断される。
【００４５】
浴槽水追焚き運転時において、４方弁３２は、ａポートとｃポートとが連通し、ｂポートとｄポートと閉状態となるように制御される。その結果、ヒートポンプ出口配管４２と中温水戻し配管４４とが連通する。
【００４６】
以上の状態において、制御部７０は、浴槽水循環ポンプ５２を運転する。その後、浴槽水が利用側熱交換器２２へ引き込まれ時間として予め設定された時間が経過したら、制御部７０は、循環ポンプ２１を運転する。その結果、貯湯タンク１０の上部から流出する高温水は、利用側熱交換器１次側入口配管４５から利用側熱交換器２２に導かれる。当該高温水は、利用側熱交換器２２で浴槽水と熱交換を行う。熱源側の熱交換後の温水は、利用側熱交換器１次側出口配管４６、３方弁３１、循環ポンプ２１、ヒートポンプ入口配管４１、ヒートポンプ出口配管４２、４方弁３２、中温水戻し配管４４を経由して、貯湯タンク１０の中間部の戻し口から貯湯タンク１０に戻される。
【００４７】
なお、ふろ熱回収戻し配管４７は、利用側熱交換器１次側出口配管４６から分岐される。このため、循環ポンプ２１を動作すると、湯水の流れが発生し得る。この際、逆止弁８２は、貯湯タンク１０からの湯水の流れを抑制する。
【００４８】
高温水は、貯湯タンク１０の上部から流出する。当該高温水は、利用側熱交換器２２で熱を奪われて３０℃から４０℃程度の中温水となる。当該中温水は、貯湯タンク１０の中間部に設けられた戻し口から貯湯タンク１０に流入する。このため、貯湯タンク１０の内部において、高温水の層は、徐々に薄くなる。これに対し、中温水の層が厚くなる。この際、ヒートポンプユニット６０の運転は停止しておく。
【００４９】
一方、浴槽５０の側の経路において、制御部７０は、浴槽水循環ポンプ５２を運転する。この際、浴槽５０に張られた湯水は、浴槽水循環回路５１の内部を循環する。その結果、利用側熱交換器２２の１次側を流れる高温水の熱は、利用側熱交換器２２の２次側を流れる湯水に伝達される。このため、浴槽５０の内部に張られた湯水は、加熱されることにより温められる。
【００５０】
図６は実施の形態１における貯湯式給湯機の浴槽水排熱回収運転時および浴槽配管凍結予防運転時の回路構成図である。浴槽水排熱回収運転は、浴槽５０の内部の浴槽水と貯湯タンク１０の貯留水を熱交換して浴槽水から貯留水に熱を回収する運転である。浴槽配管凍結予防運転は、浴槽５０の内部の浴槽水を取り出して戻す循環回路の凍結を予防する運転である。
【００５１】
浴槽水排熱回収運転時において、３方弁３１は、図３に示される待機状態から、ａポートとｃポートとが連通し、ｂポートが閉状態となるように制御される。
【００５２】
浴槽水排熱回収運転時において、４方弁３２は、ａポートとｄポートとが連通し、ｂポートとｃポートとが閉状態となるように制御される。これにより、タンク下部配管４０、３方弁３１、ヒートポンプ入口配管４１、ヒートポンプ出口配管４２、４方弁３２、追い焚き分岐配管４８、利用側熱交換器１次側入口配管４５、利用側熱交換器２２、利用側熱交換器１次側出口配管４６、ふろ熱回収戻し配管４７から貯湯タンク１０への流路が連通する。
【００５３】
なお、逆止弁８１は、利用側熱交換器１次側入口配管４５の貯湯タンク１０の上部へ接続する方向に対して設けられる。このため、貯湯タンク１０の上部へ流れる流路は遮断される。
【００５４】
この際、浴槽水循環ポンプ５２と循環ポンプ２１とが動作すると、貯湯タンク１０の下部の水と浴槽水とは、利用側熱交換器２２に流入する。使用者が入浴終了後の浴槽水の温度は、約３０℃から４０℃程度である。これに対し、貯湯タンク１０の下部には、約５℃から２０℃程度の水道水が流入する。このため、浴槽水の熱は、貯湯タンク１０の内部の水に伝達される。当該熱は、再び貯湯タンク１０の中間部に戻される。
【００５５】
一方、浴槽５０の側の経路において、浴槽水循環ポンプ５２が動作すると、浴槽５０に張られた湯水は、浴槽水循環回路５１の内部を循環する。この際、利用側熱交換器２２の２次側を流れる湯水の熱は、利用側熱交換器２２の１次側を流れる低温水に伝達される。このため、浴槽５０の内部に張られた湯水の温度は低下する。
【００５６】
浴槽５０の側の経路において、例えば、外気温が５℃未満の場合に浴槽水循環回路５１および浴槽５０を循環する湯水に接する配管経路の凍結が予防される。
【００５７】
以上によれば、貯湯式給湯機１００の回路構成において、給湯機の基本機能である沸き上げ運転、追い焚き運転を実施するための流路を構成することができる。さらに、浴槽水排熱回収運転および浴槽配管凍結予防運転を同時に実施するための流路を構成することができる。このため、浴槽水排熱回収運転および浴槽配管凍結予防運転の両方を短時間で実施することができる。
【００５８】
次に、浴槽水排熱回収運転および浴槽配管凍結予防運転の詳細を説明する。制御部７０は、浴槽水の排熱回収および浴槽配管の凍結予防が実施できる状態であるか否かを判定する。制御部７０は、浴槽水排熱回収および浴槽配管凍結予防が実施できる状態であると判定した際に、図３の待機状態から図６の浴槽水排熱回収および浴槽配管凍結予防運転の状態への移行を実施する。
【００５９】
例えば、使用者がリモコン８０の操作部８０ａを操作すると、リモコン８０は、浴槽水排熱回収を実施する開始信号を制御部７０に送信する。この際、制御部７０は、浴槽水循環ポンプ５２を運転する。予め設定された時間が経過した後、水流検出センサ９２が浴槽水の水流を検出した場合、制御部７０は、図６の浴槽水排熱回収運転の状態に移行させる。
【００６０】
浴槽水循環ポンプ５２の運転が開始されてから予め設定された時間が経過した際、浴槽入口サーミスタ５３の検出値が予め設定された閾値以上を検出したとき、制御部７０は、浴槽入口サーミスタ５３の検出温度と残湯サーミスタ１２の検出温度とを比較する。例えば、閾値は、３５℃に設定される。浴槽入口サーミスタ５３の検出温度と残湯サーミスタ１２の検出温度との差が予め設定された温度差以上ある場合、制御部７０は、浴槽水排熱回収が可能であると判定する。この際、制御部７０は、図６の浴槽水排熱回収運転の状態へ移行させる。
【００６１】
例えば、浴槽水循環ポンプ５２が駆動してから浴槽入口サーミスタ５３に浴槽５０の内部の浴槽水が到達するまでの時間として３０秒が経過した際、制御部７０は、浴槽入口サーミスタ５３の検出温度と残湯サーミスタ１２の検出温度とを比較する。浴槽入口サーミスタ５３の検出温度が残湯サーミスタ１２の検出温度よりも高い場合、制御部７０は、循環ポンプ２１を駆動することにより浴槽水排熱回収運転を実施する。
【００６２】
循環ポンプ２１を駆動すると、例えば、貯湯タンク１０の下部の１０℃の低温水は、タンク下部配管４０、３方弁３１、ヒートポンプ入口配管４１、ヒートポンプ出口配管４２、４方弁３２、追い焚き分岐配管４８、利用側熱交換器１次側入口配管４５を流れる。例えば、当該低温水は、利用側熱交換器２２で４０℃の浴槽水と熱交換して昇温して３０℃の温水となる。当該温水は、利用側熱交換器１次側出口配管４６、ふろ熱回収戻し配管４７を経て貯湯タンク１０の中間部へ貯留される。本動作が継続されると、浴槽入口サーミスタ５３の検出温度が低下していく。当該検出温度が予め設定された温度以下になった時点で、制御部７０は、循環ポンプ２１を停止することにより浴槽水排熱回収運転を終了する。
【００６３】
浴槽５０の側の経路では、浴槽水循環ポンプ５２の動作は継続する。その結果、湯水は、予め設定された時間だけ循環する。その後、制御部７０は、浴槽水循環ポンプ５２を停止することにより動作を終了する。
【００６４】
浴槽５０の側の経路において、単独動作として、例えば、外気温が５℃未満の場合は、浴槽水循環ポンプ５２が自動的に動作する。その結果、浴槽水循環回路５１および浴槽５０を循環する湯水に接する配管経路の凍結が予め設定された時間だけ予防される。その後、浴槽水循環ポンプ５２が停止することにより浴槽配管凍結予防運転が終了する。この際、浴槽水排熱回収運転が事前にされていないと浴槽水の熱を回収できない。そこで、例えば、外気温が７℃未満の場合は、制御部７０は、リモコン８０から浴槽水排熱回収運転を開始することを催促する情報をリモコン８０に報知させる。
【００６５】
以上で説明した実施の形態１によれば、制御部７０は、浴槽配管凍結予防運転を開始する前に、浴槽水排熱回収運転を開始することを催促する情報をリモコン８０に報知させる。この際、使用者は、当該ガイダンスに従ってリモコン８０の操作部８０ａを操作すればよい。その結果、浴槽配管凍結予防運転が実施される前に浴槽水排熱回収運転が実施される。このため、浴槽水排熱回収運転および浴槽配管凍結予防運転を効率的に実施することができる。
【００６６】
なお、使用者がリモコン８０の操作部８０ａにおいて予め設定された操作を行うことで、浴槽水排熱回収運転を催促する情報を報知するか否かを予め選択できるようにしてもよい。
【００６７】
また、浴槽水の自動保温が予め設定された時間だけ経過してふろ自動運転が終了した時点またはリモコン８０の操作部８０ａの操作によって終了した時点で浴槽水排熱回収運転を催促する情報を報知してもよい。
【００６８】
また、使用者があらかじめリモコン８０の操作部８０ａにおいて浴槽水排熱回収運転の開始時間を予約してもよい。この場合、浴槽水排熱回収運転の開始時間になった時点で、開始信号が制御部７０へ送信してもよい。制御部７０は、開始信号を受信した際に浴槽水循環ポンプ５２を運転し、予め設定された時間が経過した後に水流検出センサ９２が浴槽水を検出した場合、図６の浴槽水排熱回収運転状態へ移行してもよい。
【００６９】
また、水位センサ９１が浴槽５０への湯はり完了後の水位から予め設定された値以上の水位の低下を検出した場合に、浴槽水排熱回収運転および浴槽配管凍結予防運転を開始してもよい。
【００７０】
また、浴槽水循環ポンプ５２を運転して、予め設定された時間が経過したときの浴槽入口サーミスタ５３の検出温度が予め設定された温度未満である場合、浴槽水の温度が低いために浴槽水排熱回収が不可能であると判定し、浴槽配管凍結予防運転のみを実施してもよい。例えば、予め設定された時間が経過したときの浴槽入口サーミスタ５３の検出温度が３５℃未満である場合、浴槽配管凍結予防運転のみを実施してもよい。
【００７１】
また、浴槽水循環ポンプ５２を運転して、予め設定された時間が経過したときの浴槽入口サーミスタ５３の検出温度と残湯サーミスタ１２の検出温度との差が予め設定された温度差未満である場合、浴槽水の温度が低いために浴槽水排熱回収が不可能であると判定し、浴槽配管凍結予防運転のみを実施してもよい。例えば、予め設定された時間が経過したときの浴槽入口サーミスタ５３の検出温度と残湯サーミスタ１２の検出温度との差が３℃未満である場合、浴槽配管凍結予防運転のみを実施してもよい。
【００７２】
なお、浴槽水循環ポンプ５２を運転して、浴槽水循環ポンプ５２を運転し、予め設定された時間が経過した後に水流検出センサ９２が浴槽水を検出しない場合は、浴槽水排熱回収および浴槽配管凍結予防運転が不可能であると判定し、浴槽水排熱回収および浴槽配管凍結予防運転を中止する。
【００７３】
また、リモコン８０の表示部８０ｃにおいて浴槽水排熱回収運転または浴槽配管凍結予防運転の動作中であることを表示し、スピーカ８０ｄにおいて浴槽水排熱回収運転または浴槽配管凍結予防運転の開始または終了を音声出力すれば、使用者の使い勝手の良い給湯機を提供することができる。
【００７４】
また、外気温度が浴槽配管凍結予防運転の開始条件となる温度よりも高い温度として予め設定された温度になった時点において、浴槽水排熱回収運転を催促する情報を報知してもよい。例えば、外気温度が浴槽配管凍結予防運転の開始条件となる５℃よりも高い７℃になった時点において、浴槽水排熱回収運転を催促する情報を報知してもよい。
【００７５】
また、外気温度が浴槽配管凍結予防運転の開始条件となる温度に到達したとき、浴槽水排熱回収運転を開始することを催促する情報をリモコン８０に報知させても、使用者が浴槽水排熱回収運転の開始させる動作指示としての操作を予め設定された時間内に行わない場合は、通常の浴槽配管凍結予防運転よりも低能力の浴槽配管凍結予防運転を実施してもよい。例えば、浴槽配管凍結予防運転の時間を短縮してもよい。例えば、浴槽配管凍結予防運転における循環流量を減らしてもよい。この場合、低能力の浴槽配管凍結予防運転を実施しながら、使用者の熱回収運転の操作を待つようにしてもよい。
【００７６】
また、外気温度が浴槽配管凍結予防運転の開始条件となる温度よりも低い温度として予め設定された温度に到達したとき、使用者が浴槽水排熱回収運転の開始させる操作を行ったか否かにかかわらず、浴槽配管凍結予防運転を優先的に実施してもよい。例えば、外気温度が３℃に到達したとき、使用者が浴槽水排熱回収運転の開始させる操作を行ったか否かにかかわらず、浴槽配管凍結予防運転を優先的に実施してもよい。
【００７７】
また、浴槽水排熱回収運転を開始することを催促する情報をリモコン８０に報知させても、使用者が浴槽水排熱回収運転の開始させる操作を予め設定された時間内に行わない場合は、リモコン８０からの報知の度合いを高めて、使用者がより気付きやすいようにしてもよい。例えば、報知の音量を増大させてもよい。例えば、報知音を出力する間隔を短くして報知の頻度をあげてもよい。例えば、報知音を連続で出力して報知時間を拡大してもよい。
【００７８】
また、外気温度が浴槽配管凍結予防運転の開始条件となる温度に到達したとき、浴槽水排熱回収運転を開始することを催促する情報をリモコン８０に報知させても、使用者が浴槽水排熱回収運転の開始させる操作を予め設定された時間内に行わない場合は、浴槽配管凍結予防運転を開始することにより、浴槽配管凍結予防運転を優先的に実施してもよい。
【符号の説明】
【００７９】
１  貯湯タンクユニット
２  給水配管
３  給湯配管
１０  貯湯タンク
１２  残湯サーミスタ（貯留水温度検出部）
２１  循環ポンプ
２２  利用側熱交換器
３１  ３方弁
３２  ４方弁
４０  タンク下部配管
４１  ヒートポンプ入口配管
４２  ヒートポンプ出口配管
４３  タンク上部配管
４４  中温水戻し配管
４５  利用側熱交換器１次側入口配管
４６  利用側熱交換器１次側出口配管
４７  ふろ熱回収戻し配管
４８  追い焚き分岐配管
５０  浴槽
５１  浴槽水循環回路
５２  浴槽水循環ポンプ
５３  浴槽入口サーミスタ（浴槽水温度検出部）
６０  ヒートポンプユニット
６１  圧縮機
６２  沸き上げ用熱交換器
６３  膨張弁
６４  空気熱交換器
７０  制御部
８０  リモコン
８０ａ  操作部
８０ｂ  マイク
８０ｃ  表示部
８０ｄ  スピーカ
９１  水位センサ（水位検出部）
９２  水流検出センサ（循環検出部）
１００  貯湯式給湯機
【図１】
2020076512.tif 000003
【図２】
2020076512.tif 000004
【図３】
2020076512.tif 000005
【図４】
2020076512.tif 000006
【図５】
2020076512.tif 000007
【図６】
2020076512.tif 000008